(57)【要約】【課題】ケース本体に対する取手の取付位置を、運搬時の状況に応じて変更しうるようにした取手付き収納ケースを提供する。  また、取手の使用時に、取手をケース本体から離れる方向に引き出すと、取手の取付位置の移動が阻止されるようにする。【解決手段】物品を収容するケース本体１の外面に設けたガイドレール４、４に、取手６を、ガイドレール４、４の長手方向に沿って移動可能として装着する。  また、取手６をケース本体１から離れる方向に引き出すと、スペーサ７の両端が、取手６の弾性帯板部６ｂの内面に当接し、かつ弾性帯板部６ｂがケース本体１の外面に圧接して、取手６の取付位置の移動が阻止されるようにする。【選択図】  図６
2018042777.tif 000002
【特許請求の範囲】
【請求項１】
物品を収容するケース本体の外面に設けたガイドレールに、取手を、前記ガイドレールの長手方向に沿って移動可能として装着したことを特徴とする取手付き収納ケース。
【請求項２】
物品を収容するケース本体と、
前記ケース本体の外面に設けた互いに平行をなす１対のガイドレールと、
前記両ガイドレールに、その長手方向に摺動可能として装着され、かつ前記ケース本体の外面に対向する面に、前記長手方向を向く凹溝が設けられた１対のスライド片と、
把持部の両端に弾性帯板部が連設され、この弾性帯板部が前記ケース本体の外面に接触するようにして、前記各スライド片の凹溝を摺動可能として挿通し、かつ前記弾性帯板部の外端部に、前記スライド片の凹溝からの抜け止め用の突部が設けられた取手と、
前記両スライド片間であって、前記取手の把持部とそれに対向する前記ケース本体の外面との間において、前記両ガイドレールに、その長手方向に摺動可能として装着され、かつ前記取手の把持部を前記ケース本体から離れる方向に引き出したとき、両端部が前記取手の弾性帯板部の内面に当接して、前記取手の両端部の互いに近接する方向への移動を阻止するスペーサ
とを備えることを特徴とする取手付き収納ケース。
【請求項３】
前記両ガイドレールの断面形状を、互いに対向する鉤形とし、かつ前記各スライド片の断面形状を、前記凹溝を形成するコ字形部の開口縁部に、前記両ガイドレールの鉤形部分に係合する外向き係合片を連設したものとした請求項２記載の取手付き収納ケース。
【請求項４】
前記ケース本体の複数の側面に、前記１対のガイドレールをそれぞれ設け、そのいずれの側面における両ガイドレールにも、前記１対のスライド片と取手とスペーサとを、選択的に装着可能としたことを特徴とする請求項２または３記載の取手付き収納ケース。
【請求項５】
前記ケース本体を、長尺物を収容しうる横長の筒状に形成し、前記ケース本体の長手方向を向く外面に、前記ガイドレールを、前記外面の長手方向に向けて設けたことを特徴とする請求項１〜４のいずれかに記載の取手付き収納ケース。
【発明の詳細な説明】
【技術分野】
【０００１】
本発明は、取手付き収納ケースに関する。
【背景技術】
【０００２】
従来の取手付き収納ケースには、取手が、不使用時にはケースの外面に近い位置か、またはケースの外面に設けた凹溝内に埋没する位置に収容され、使用時には、取手を、上記位置からケースより離れる方向に引き出して使用するようにしたものがある(例えば特許文献１〜３参照)。
また、例えば釣竿等の長尺物を収容する収納ケースにおいては、ショルダーベルトを肩に掛け、ケースを上下方向に向けて持ち歩くようになっている(例えば特許文献４または５参照)。
【先行技術文献】
【特許文献】
【０００３】
【特許文献１】特許第２７５１４８７号公報
【特許文献２】特許第５７８２４９１号公報
【特許文献３】特公平７−２０４４５号公報
【特許文献４】特開２０００−２７０７４３号公報
【特許文献５】特開２００６−１５８３５５号公報
【発明の概要】
【発明が解決しようとする課題】
【０００４】
しかし、特許文献１〜３に記載されている取手付き収納ケースは、取手の両端部を支持する金具がケースに固着されているため、ケースに対する取手の取付位置を、運搬時の状況に応じて変更することはできず、また、特許文献４および５に記載されている釣竿収納ケースにおいても、ケースに対するショルダーベルトの取付位置を、運搬時の状況に応じて変更することはできない。
そのため、特許文献４および５に記載されている釣竿収納ケースにおいては、ケースを水平にして運搬する際に、ショルダーベルトを手に持たざるを得ず、そのようにすると、ケースの両端部が上下に揺動し、安定性が悪いという問題がある。
【０００５】
本発明は、従来の技術が有する上記のような問題点に鑑みてなされたもので、ケース本体に対する取手の取付位置を、運搬時の状況に応じて変更しうるようにした取手付き収納ケースを提供することを目的としている。
また、本発明は、取手の不使用時には、取手をケース本体に近接する位置に保持しておくことができ、取手の使用時に、取手をケース本体から離れる方向に引き出すと、取手の取付位置の移動が阻止されるようにした、取手付き収納ケースを提供することをも目的としている。
【課題を解決するための手段】
【０００６】
本発明によると、上記課題は、次のようにして解決される。
（１）取手付き収納ケースにおいて、物品を収容するケース本体の外面に設けたガイドレールに、取手を、前記ガイドレールの長手方向に沿って移動可能として装着する。
【０００７】
このような構成によると、ケース本体に対する取手の取付位置を、運搬時の状況に応じて、都合のいい位置に適宜変更することができる。
【０００８】
（２）物品を収容するケース本体と、前記ケース本体の外面に設けた互いに平行をなす１対のガイドレールと、前記両ガイドレールに、その長手方向に摺動可能として装着され、かつ前記ケース本体の外面に対向する面に、前記長手方向を向く凹溝が設けられた１対のスライド片と、把持部の両端に弾性帯板部が連設され、この弾性帯板部が、前記ケース本体の外面に接触するようにして、前記各スライド片の凹溝を摺動可能として挿通し、かつ前記弾性帯板部の外端部に、前記スライド片の凹溝からの抜け止め用の突部が設けられた取手と、前記両スライド片間であって、前記取手の把持部とそれに対向する前記ケース本体の外面との間において、前記両ガイドレールに、その長手方向に摺動可能として装着され、かつ前記取手の把持部を前記ケース本体から離れる方向に引き出したとき、両端部が前記取手の弾性帯板部の内面に当接して、前記取手の両端部の互いに近接する方向への移動を阻止するスペーサとを備えるものとする。
【０００９】
このような構成によると、ケース本体に対する取手の取付位置を、運搬時の状況に応じて、都合のいい位置に適宜変更することができるだけでなく、取手の不使用時には、取手の把持部をケース本体に近接する位置に保持しておくことができ、取手の使用時に、取手をケース本体から離れる方向に引き出すと、スペーサの両端が取手の弾性帯板部の内面に当接し、かつ弾性帯板部がケース本体の外面に圧接して、取手の取付位置の移動が阻止されるようにすることができる。
したがって、取手を持って収納ケースを運搬している途中で、取手の取付位置が不意に変動して、収納ケースの重量バランスが崩れるおそれをなくすことができる。
【００１０】
（３）上記(２)項において、前記両ガイドレールの断面形状を、互いに対向する鉤形とし、かつ前記各スライド片の断面形状を、前記凹溝を形成するコ字形部の両側部に、前記両ガイドレールの鉤形部分に係合する外向き係合片を連設したものとする。
【００１１】
このような構成によると、ガイドレールおよびスライド片の構造を簡素化し、製造コストを低減させることができる。
【００１２】
（４）上記(２)または(３)項において、前記ケース本体の複数の面に、前記１対のガイドレールをそれぞれ設け、そのいずれの面における両ガイドレールにも、前記１対のスライド片と取手とスペーサとを、選択的に装着可能とする。
【００１３】
このような構成によると、取手の取付位置を、ガイドレールの長手方向に沿う位置に変更できるだけでなく、取手を取付けるケース本体の面をも選択することができ、取手の取付態様を多様化させて、収納ケースの汎用性を高めることができる。
また、ケース本体の複数の面に設けたガイドレールが、ケース本体の各面を補強する補強材として作用し、取手を装着しないガイドレールであっても、ケース本体の強度の向上に寄与させることができる。
さらに、取手を装着しないガイドレールに、例えば、収納ケースを車両のルーフに取付けるための金具や、ショルダーベルト用の金具、または他の目的のための付属部品等を装着することができる。
【００１４】
（５）上記(２)〜(４)項のいずれかにおいて、前記ケース本体を、長尺物を収容しうる横長の筒状に形成し、前記ケース本体の長手方向を向く外面に、前記ガイドレールを、前記外面の長手方向に向けて設ける。
【００１５】
このような構成によると、収納ケースを水平にして運搬する際には、取手を、長尺物を収容した収納ケースの全体の重心位置に近い位置に装着し、収納ケースを上下方向に向けて持ち歩く際には、取手を、長尺物を収容した収納ケースの全体の重心位置から離れた位置に装着し、その重心が取手の下方に位置するようにすることができ、取手の位置を、運搬時の態様に応じた適切な位置に変更することができる。
【発明の効果】
【００１６】
本発明によると、ケース本体に対する取手の取付位置を、運搬時の状況に応じて変更しうるようにした取手付き収納ケースを提供することができる。
また、取手の不使用時には、取手をケース本体に近接する位置に保持しておくことができ、取手の使用時に、取手をケース本体から離れる方向に引き出すと、取手の取付位置の移動が阻止されるようにすることができる。
【図面の簡単な説明】
【００１７】
【図１】本発明の取手付き収納ケースの第１の実施形態の正面図である。
【図２】同じく、平面図である。
【図３】図２のIII−III線における縦断正面図である。
【図４】図３のIV−IV線における縦断側面図である。
【図５】図３のV−V線における縦断側面図である。
【図６】図３の状態から、取手を上方に引き上げ、左方の係止片を係合ピンから上方に外し、かつ右方の蓋体を下方に開いた状態を示す、図３と同様の縦断正面図である。
【図７】本発明の取手付き収納ケースの第２の実施形態における、図４と同様の部分の縦断側面図である。
【発明を実施するための形態】
【００１８】
以下、本発明の取手付き収納ケースの第１の実施形態を、図１〜図６を参照して説明する。
この取手付き収納ケースは、金属または硬質合成樹脂材料等により、左右の両端が開口する角筒状に形成され、かつ釣竿等の長尺物(図示略)を収容しうる左右方向を向くケース本体１と、このケース本体１の上面に設けられた取手装置２と、ケース本体１の左右の端部に設けられた蓋体装置３、３とを備えている。
【００１９】
ケース本体１の上面には、互いに平行をなして左右方向を向く前後１対のガイドレール４、４が設けられている。
前後のガイドレール４、４は、図４に示すように、ケース本体１の前後の縁より起立する起立片４ａ、４ａと、その上端より互いに対向する方向を向く折曲片４ｂ、４ｂとからなる、互いに対向する鉤形の断面形状をなしている。
【００２０】
取手装置２は、前後のガイドレール４、４に、その長手方向に摺動可能として装着され、かつケース本体１の上面に対向する下面に、左右方向を向く凹溝５ａが設けられた左右１対のスライド片５、５と、左右方向を向く把持部６ａの両端に弾性帯板部６ｂ、６ｂが連設され、この弾性帯板部６ｂ、６ｂがケース本体１の上面に接触するようにして、上記各スライド片５の凹溝５ａを左右方向に摺動可能として挿通し、かつ両弾性帯板部６ｂ、６ｂの外端部に、スライド片５の凹溝５ａからの抜け止め用の上向きの突部６ｃ、６ｃが設けられた取手６と、両スライド片５、５間であって、かつ取手６の把持部６ａの下面とそれに対向するケース本体１の上面との間において、両ガイドレール４、４に、その長手方向に摺動可能として装着されたスペーサ７とを備えている。
【００２１】
各スライド片５は金属板よりなり、その断面形状は、図４に示すように、凹溝５ａを形成する下向きコ字形部５ｂの開口縁部に、両ガイドレール４、４の鉤形部分に係合する、前後方向を向く外向き係合片５ｃ、５ｃを連設したものとしてある。
【００２２】
取手６の把持部６ａと弾性帯板部６ｂ、６ｂと突部６ｃ、６ｃとは、ゴムまたは軟質合成樹脂材料等により、ほぼ同幅として一体的に形成されている。
把持部６ａの下面には、把持部６ａを把持し易くするための下向膨出部６ｄが設けられている。
【００２３】
スペーサ７は、図５に示すように、上面が両ガイドレール４の折曲片４ｂ、４ｂの上面と整合するようにして、それらの間に配設された下向きコ字形部７ａと、その開口縁部に、両ガイドレール４、４の鉤形部分に係合する、前後方向を向く外向き係合片７ｂ、７ｂとからなっている。
スペーサ７の左右方向の長さは、図１〜図３に示すように、取手６の下向膨出部６ｄがスペーサ７の上面に当接または近接し、取手６全体がほぼ扁平となった不使用時の状態において、左右のスライド片５、５間の間隔より、取手６の弾性帯板部６ｂの厚さの２倍を差し引いた寸法より、さらに短くしてある。
【００２４】
取手６が不使用時の状態のときは、取手６を左右に移動させることにより、取手６と左右のスライド片５、５とスペーサ７とを、一体として、両ガイドレール４、４に沿って、そのままの状態で左右方向に摺動させることができる(スペーサ７は、若干遅れて摺動することがある)。
したがって、ケース本体１に対する取手６の取付位置を、運搬時の状況に応じて、都合のいい位置に適宜変更することができる。
例えば、ケース本体１を水平にして持ち運ぶときは、取手６を、重心位置であるケース本体１の左右方向のほぼ中央部に位置させて、安定よく提げることができ、また、収納ケースを上下方向に向けて持ち運ぶときは、取手６が重心より上方に位置するように、ケース本体１の長手方向の中央部より一端寄りに位置させて安定よく吊り下げて運ぶことができる。
【００２５】
図６に示すように、取手６の把持部６ａを把持して、ケース本体１の上面から上方に離れるように引き上げると、左右の弾性帯板部６ｂ、６ｂが弾性変形しつつ、その外端部同士が、左右のスライド片５、５とともに互いに内方に引き寄せられ、その後、スペーサ７の両端が、互いに引き寄せられた左右の弾性帯板部６ｂ、６ｂの内面とケース本体１の上面との間に楔入し、その左右の弾性帯板部６ｂ、６ｂの内面に当接すると、取手６の両端部の互いに近接する方向への移動が阻止されるとともに、スペーサ７の両端に当接した部分から外側の両弾性帯板部６ｂ、６ｂの下面がケース本体１の上面に圧接させられ、それがブレーキとなって、取手６の取付位置の移動が阻止される。
したがって、取手６を把持して収納ケースを運搬している途中で、取手６の取付位置が不意に変動して、収納ケースの重量バランスが崩れるおそれを防止することができる。
【００２６】
左右の蓋体装置３、３は、互いに左右対称の同一構造をなしている。
各蓋体装置３は、ケース本体１の各端部に外嵌したほぼ矩形枠状の縁枠材８と、この縁枠材８の下端部に、前後方向を向く軸９をもって枢着され、かつ縁枠材８の開口を閉塞する閉止位置(図３参照)と上記開口を開放する開放位置(図６の右端部参照)とに回動可能とした蓋体１０と、蓋体１０の閉止時の上端部に前後方向を向く軸１１をもって枢着され、蓋体１０が閉止位置に位置している状態で、ケース本体１の上面に近接する係合位置とケース本体１の上面から離れた解放位置とに回動可能であり、かつ先端部に円形の係合孔１２が設けられた係止片１３と、縁枠材８(またはケース本体１)の上面に突設され、かつ先端に、南京錠(掛け金式錠前)の掛け金(図示略)が挿通可能な通孔１４が設けられた球頭部１５ａを有し、係止片１３を係合位置としたとき、球頭部１５ａが係止片１３の係合孔１２と弾性係合するようにした係合ピン１５とを備えている。
【００２７】
蓋体１０は、内端部が開口する方形の箱状をなし、その内部には、スポンジ等からなる緩衝材１０ａが設けられている。
また、蓋体１０の開口縁部には、蓋体１０の閉止時に、縁枠材８の開口端面に設けた環状溝８ａに嵌合する環状突条１０ｂが設けられ、蓋体１０の閉止時の密閉性を向上するようにしてある。
【００２８】
縁枠材８の上面には、ケース本体１の中央部に向かって突出する突部８ｂが設けられており、この突部８ｂを含む縁枠材８の上面と、蓋体１０の閉止時の上面とには、前後幅を係止片１３の前後幅と同一か、またはそれよりもわずかに大とした凹入段部１６、１７が設けられている。
縁枠材８の凹入段部１６は、上方と外側方とに開口し、その底面１６ａにおける外側端寄りの部分には、係合ピン１５における球頭部１５ａから下方に向かってなだらかに拡開するテーパー状の軸部１５ｂが立設されている。
また、凹入段部１６の底面１６ａにおける外側端部には、前後方向を向く突縁部１８が設けられている。
【００２９】
蓋体１０の凹入段部１７は、上方と左右両側方とに開口し、その凹入段部１７の外側端部内において、係止片１３の基端部が軸１１をもって蓋体１０に枢着されている。
図３に示すように、係止片１３は、係合位置に位置しているときは、その上面が、縁枠材８の上面および蓋体１０の上面とほぼ整合するようにして縁枠材８の凹入段部１６と蓋体１０の凹入段部１７とに嵌合し、凹入段部１６の上方開口部の一部と凹入段部１７の上方開口部のほぼ全体を閉塞している。
縁枠材８の凹入段部１６の内端部と係止片１３の先端との間には、係止片１３を係合位置から解放位置に外す際に指を挿入するための空間Ｓが形成されている。
【００３０】
係合位置に位置しているときの係止片１３の下面における左右方向の中間部には、係止片１３を係合位置としたとき、縁枠材８の突縁部１８に弾性係合するようにした前後方向を向く突条１９が設けられている。
突条１９と突縁部１８との弾性係合が外れにくく、しかも円滑に弾性係合させることができるようにするため、突条１９の先端部と縁枠材８の先端部とは、図３および図６に示すように、緩やかな曲線をなすフック状に形成するのが好ましい。
【００３１】
左右の蓋体装置３、３は、上記のような構成としてあるので、蓋体１０を閉止位置とした後、係止片１３に設けた係合孔１２を、係合ピン１５の球頭部１５ａに圧嵌して、弾性係合させるだけで、係止片１３は係合位置に保持され、蓋体１０を閉止位置に確実に保持することができ、また、係止片１３を係合ピン１５の球頭部１５ａから離れる方向に回動させるだけで、蓋体１０を容易に開くことができる。
係止片１３を係合位置に位置させた後、南京錠の掛け金を、係合ピン１５の球頭部１５ａに設けた通孔１４に挿通させて、南京錠を施錠することにより、蓋体１０を確実に施錠することができる。
しかも、係合ピン１５は、縁枠材８に突設するだけでよいので、特許文献１に記載されているリング状の掛け金受けのように、ケース本体１の外面等に回転可能に枢着する必要はなく、蓋体１０の取付部分の構造を簡素化することができる。
【００３２】
また、係止片１３に設けた係合孔１２と係合ピン１５の球頭部１５ａとの弾性係合により、係止片１３が係合位置から解放位置側に開くのを防止することができ、かつ係止片１３の中間部に設けた突条１９と縁枠材８に設けた突縁部１８との弾性係合により、蓋体１０が閉止位置から開放位置側に開くのを防止することができる。
なお、突条１９と突縁部１８とを省略することができ、この場合には、係合孔１２と係合ピン１５の球頭部１５ａとの弾性係合のみにより、係止片１３が係合位置から解放位置側に開くのを防止し、かつ蓋体１０が閉止位置から開放位置側に開くのを防止することができる。
【００３３】
さらに、係合ピン１５および突縁部１８を凹入段部１６に配設してあるので、それらが外部に大きく突出するのを防止することができ、スマートな外観を呈することができる。
【００３４】
しかも、係止片１３を係合位置としたとき、係止片１３が、凹入段部１６の一部を閉塞するようにして、凹入段部１６に嵌合するようにしてあるので、体裁がよい。
また、凹入段部１６における、係止片１３によって覆われていない部分を、係止片１３を係合位置から解放位置に外す際の指の挿入用の空間Ｓとすることができる。
【００３５】
図７は、本発明の取手付き収納ケースの第２の実施形態を示す。なお、第１の実施形態におけるのと同一または類似の部材には、同一の符号を付して図示するに止め、それらについての詳細な説明は省略する。
この第２の実施形態においては、ケース本体１の下面および前後の両側面に、上面における１対のガイドレール４、４と同様のガイドレール４、４をそれぞれ設け、そのいずれの両ガイドレール４、４にも、上記１対のスライド片５、５と取手６とスペーサ７(図３および図６参照)とを、選択的に装着可能としてある。
その他の構成は、第１の実施形態におけるのと同一である。
【００３６】
このような構成によると、取手６の取付位置を、ガイドレール４、４の長手方向に沿う位置に変更できるだけでなく、取手６を取付けるケース本体１の面をも選択することができ、取手６の取付態様を多様化することができ、収納ケースの汎用性を増すことができる。
また、ケース本体１の複数の面に設けたガイドレール４、４が、ケース本体１の各面を補強する補強材として作用し、取手６等を装着しないガイドレール４、４であっても、ケース本体１の強度の向上に寄与することができる。
さらに、取手６を装着しないガイドレール４、４に、例えば、収納ケースを車両のルーフに取付けるための金具や、他の目的のための付属部品(いずれも図示略)を装着することができる。
【００３７】
本発明は、上記実施形態のみに限定されるものではなく、特許請求の範囲を逸脱することなく、例えば、次のような幾多の変形した態様での実施が可能である。
(１)  図７に示す本発明の取手付き収納ケースの第２の実施形態におけるケース本体１の上面、下面および両側面のうちの任意の複数の面のみにガイドレール４、４を設ける。
(２)  取手６の把持部６ａを硬質材料により形成し、弾性帯板部６ｂを弾性体、または軟質合成樹脂材料等により形成する。
(３)  取手６の前後方向の幅を、弾性帯板部６ｂの前後方向の幅より大とする。
【符号の説明】
【００３８】
１  ケース本体
２  取手装置
３  蓋体装置
４  ガイドレール
４ａ起立片
４ｂ折曲片
５  スライド片
５ａ凹溝
５ｂ下向きコ字形部
５ｃ外向き係合片
６  取手
６ａ把持部
６ｂ弾性帯板部
６ｃ突部
６ｄ下向膨出部
７  スペーサ
７ａ下向きコ字形部
７ｂ外向き係合片
８  縁枠材
８ａ環状溝
８ｂ突部
９  軸
１０  蓋体
１０ａ緩衝材
１０ｂ環状突条
１１  軸
１２  係合孔
１３  係止片
１４  通孔
１５  係合ピン
１５ａ球頭部
１５ｂ軸部
１６  凹入段部
１６ａ底面
１７  凹入段部
１８  突縁部
１９  突条
Ｓ  空間
【図１】
2018042777.tif 000003
【図２】
2018042777.tif 000004
【図３】
2018042777.tif 000005
【図４】
2018042777.tif 000006
【図５】
2018042777.tif 000007
【図６】
2018042777.tif 000008
【図７】
2018042777.tif 000009